(57)【要約】【課題】引込み線の使用状況を効率良く判定する。【解決手段】通信用の引込み線９１２に非接触で取り付けて引込み線９１２に信号を印加する印加用プローブ２１と、引込み線９１２に非接触で取り付けて引込み線９１２を流れる電流および引込み線９１２にかかる電圧を測定する検出用プローブ２２と、引込み線９１２の使用状況を判定する判定装置１を備え、判定装置１が、引込み線９１２に信号を印加しない状態で測定した電流値に基づいて引込み線９１２の使用状況を判定する第１の判定と、引込み線９１２に信号を印加した状態で測定した信号と同じ周波数の信号の電流値と電圧値の比を求め、比と閾値との大小関係に基づいて引込み線９１２の使用状況を判定する第２の判定を行う。【選択図】図４
2020113839.tif 000002
【特許請求の範囲】
【請求項１】
通信用の引込み線に試験信号を印加する印加部と、前記引込み線を流れる電流と前記引込み線にかかる電圧を測定する測定部とを有し、前記印加部と前記測定部は前記引込み線に非接触で取り付け可能である判定装置であって、
前記引込み線に前記試験信号を印加しない状態で測定した電流の大きさに基づいて前記引込み線の使用状況を判定する第１判定部と、
前記引込み線に前記試験信号を印加した状態で測定した前記試験信号と同じ周波数の信号の電流値と電圧値の比を求め、当該比と閾値との大小関係に基づいて前記引込み線の使用状況を判定する第２判定部と、を有し、
前記第１判定部の判定結果または第２判定部の判定結果の少なくとも一方に基づいて、前記引込み線が使用されているか否かを判定する
ことを特徴とする判定装置。
【請求項２】
前記第２判定部は、前記第１判定部の判定結果に応じて前記閾値を選択する
ことを特徴とする請求項１に記載の判定装置。
【発明の詳細な説明】
【技術分野】
【０００１】
本発明は、引込み線の現用・非現用を判定する技術に関する。
【背景技術】
【０００２】
光ファイバーの普及に伴い、住宅等の施設には、使用されなくなったメタルの引込み線が撤去されずに残されている場合がある。未使用の引込み線を残したままにしておくと、引込み線の垂れ下がりによる事故が発生するという問題がある。例えば、道路の上空をまたがって配置されている引込み線が垂れ下がると、車両や歩行者の通行の妨げとなり、非常に危険である。
【０００３】
引込み線を撤去する場合、作業者は対象の引込み線が使用されているか否か（現用・非現用）を確認する必要がある。従来、引込み線の現用・非現用の判定は、その引込み先の施設にいる作業者が対象の引込み線に電圧または電流を印加し、引込み線に生じた電圧または電流の値を通信センタにいる作業者が遠隔地から測定することにより行われていた。
【先行技術文献】
【特許文献】
【０００４】
【特許文献１】特開２００６−２４２８５５号公報
【発明の概要】
【発明が解決しようとする課題】
【０００５】
引込み線の現用・非現用を確認する際、作業者は引込み先を訪問するが、引込み先が留守である場合は引込み線の使用状況が確認できないという問題があった。
【０００６】
また、引込み線の現用・非現用の判定には、引込み先と通信センタのそれぞれに作業者を必要としていた。そのため、引込み線の現用・非現用の判定に際して、作業者間の時間調整等が必要となり、負担が大きいという問題があった。
【０００７】
本発明は、上記に鑑みてなされたものであり、引込み線の使用状況を効率良く判定することを目的とする。
【課題を解決するための手段】
【０００８】
本発明に係る判定装置は、通信用の引込み線に試験信号を印加する印加部と、前記引込み線を流れる電流と前記引込み線にかかる電圧を測定する測定部とを有し、前記印加部と前記測定部は前記引込み線に非接触で取り付け可能である判定装置であって、前記引込み線に前記試験信号を印加しない状態で測定した電流の大きさに基づいて前記引込み線の使用状況を判定する第１判定部と、前記引込み線に前記試験信号を印加した状態で測定した前記試験信号と同じ周波数の信号の電流値と電圧値の比を求め、当該比と閾値との大小関係に基づいて前記引込み線の使用状況を判定する第２判定部と、を有し、前記第１判定部の判定結果または第２判定部の判定結果の少なくとも一方に基づいて、前記引込み線が使用されているか否かを判定することを特徴とする。
【０００９】
上記判定装置において、前記第２判定部は、前記第１判定部の判定結果に応じて前記閾値を選択することを特徴とする。
【発明の効果】
【００１０】
本発明によれば、引込み線の使用状況を効率良く判定することができる。
【図面の簡単な説明】
【００１１】
【図１】本実施形態の判定システムが使用される環境の具体例を示す図である。
【図２】判定装置の構成を示す機能ブロック図である。
【図３】現用・非現用の引込み線において検出される電気諸量の特徴を説明するための図である。
【図４】引込み線の現用・非現用の判定処理の流れを示すフローチャートである。
【図５】ＩＳＤＮとＡＤＳＬ（上り）の使用する周波数帯域を示す図である。
【図６】ＩＳＤＮとＡＤＳＬの信号波形を示す図である。
【図７】判定装置の別の構成を示す機能ブロック図である。
【図８】判定装置のさらに別の構成を示す機能ブロック図である。
【発明を実施するための形態】
【００１２】
以下、本発明の実施の形態について図面を用いて説明する。
【００１３】
図１は、本実施形態の判定システムが使用される環境の具体例を示す図である。同図に示す判定システムは、判定装置１とプローブ２を備える。
【００１４】
判定装置１は、引込み線９１２の引込み先に接続された端末から発信される信号、および引込み線９１２に信号を印加した際に検出される電流と電圧との比に基づいて引込み線９１２の現用・非現用を判定する。
【００１５】
プローブ２は、印加用プローブ２１、検出用プローブ２２、支持棒２３、およびクランプレバー２４を備え、判定装置１に接続される。印加用プローブ２１と検出用プローブ２２は、支持棒２３の先端に配置されている。印加用プローブ２１と検出用プローブ２２は、使用状況を判定したい引込み線９１２に非接触な状態で取り付けられる。クランプレバー２３は、印加用プローブ２１および検出用プローブ２２を引込み線９１２に取り付ける際に操作するレバーである。
【００１６】
通信センタビル９０１および被設置建造物９０２は、架空ケーブル９１１と引込み線９１２によって接続されている。架空ケーブル９１１および引込み線９１２は通信用のメタル線であって、例えば、電話線である。架空ケーブル９１１と引込み線９１２は、電柱９０３に取り付けられた接続端子かん９０４によって接続される。引込み線９１２は、Ｌ型金物９０５、分線金物９０６、Ｃ型金物９０７、及び配線クリート９０８によって固定され、接続端子かん９０４と保安器９０９を接続する。保安器９０９は、地気線９１３によって、接地棒９１０に接続されている。
【００１７】
通信センタビル９０１は、通信を管理する施設である。通信センタビル９０１内には、集線盤９１４および交換機９１５などの通信機器が設置される。集線盤９１４は、架空ケーブル９１１の各通信線（被設置建造物９０２のそれぞれに配置された引込み線９１２につながる）を集線する。集線盤９１４に集線された通信線のうち、現用の通信線は交換機９１５に接続され、非現用の通信線は開放された状態である。
【００１８】
被設置建造物９０２は、引込み線９１２の引込み先の施設であって、例えば、戸建住宅である。Ｌ型金物９０５および分線金物９０６は、引込み線９１２を電柱９０３に固定する金具である。Ｃ型金物９０７は、引込み線９１２を被設置建造物９０２に固定する金具である。配線クリート９０８は、被設置建造物９０２に引込み線９１２を固定する、陶器またはエボナイト製の器具である。保安器９０９は、地気線９１３を介して接地棒９１０に接続されることで、雷あるいはサージ電流等による過電圧・過電流から宅内の端末を保護する。
【００１９】
現用の引込み線９１２は、引込み先において電話機などの端末に接続される。非現用の引込み線９１２の先は、基本的には、端末が接続されないが、端末が接続されたままになっていることもある。
【００２０】
次に、本実施形態の判定装置１の構成について説明する。
【００２１】
図２は、本実施形態の判定装置１の構成を示す機能ブロック図である。判定装置１には、印加用プローブ２１および検出用プローブ２２が接続される。
【００２２】
印加用プローブ２１は、中空の円筒形状のプローブである。印加用プローブ２１は、コイルを巻いた分割コアを備え、分割コアで引込み線９１２を非接触で挟み込み、コイルに交流電流を流すことによる電磁結合作用によって、引込み線９１２にコモンモード電流を印加する。
【００２３】
検出用プローブ２２は、電流検出部と電圧検出部を備える。検出用プローブ２２は、電流検出部として、印加用プローブ２１と同様のコイルを巻いた分割コアを備える。電流検出部は、分割コアで引込み線９１２を非接触で挟み込み、引込み線９１２に流れる交流のコモンモード電流を分割コアに電磁結合させて、非接触で引込み線９１２に流れるコモンモード電流を検出する。また、検出用プローブ２２は、電圧検出部として、引込み線９１２の外被に密着接触させる導電性スポンジを備える。電圧検出部は、導電性スポンジを引込み線９１２の外被に接触させ、引込み線９１２の内部導体に発生する電圧を導電性スポンジに静電結合させて、引込み線９１２にかかるコモンモード電圧を検出する。
【００２４】
印加用プローブ２１および検出用プローブ２２は一体となって非接触で引込み線９１２に取り付け可能である。印加用プローブ２１と検出用プローブ２２の間に高透磁率シートを挟んでもよい。
【００２５】
判定装置１は、印加用プローブ２１が引込み線９１２に信号を印加しない状態で、検出用プローブ２２が検出した電流に基づいて引込み線９１２の使用状況を判定する。また、判定装置１は、印加用プローブ２１が引込み線９１２に信号を印加した状態で、検出用プローブ２２が検出した電流と電圧との比に基づいて引込み線９１２の使用状況を判定する。
【００２６】
判定装置１は、信号印加部１０１、同期信号生成部１０２、制御部１０３、電圧検出部１０４、電流検出部１０５、電圧用バンドパスフィルタ（ＢＰＦ）１０６、電流用ＢＰＦ１０７、電圧用増幅部１０８、電流用増幅部１０９、Ａ／Ｄ変換部１１０、演算部１１１、閾値設定部１１２、比較部１１３、および判定結果表示部１１４を備える。
【００２７】
信号印加部１０１は、所定の周波数、振幅、および波形を有する信号を生成し、印加用プローブ２１による引込み線９１２への信号の印加を制御する。例えば、信号印加部１０１は、可聴帯域ではない帯域の周波数（例えば３０ｋＨｚ、３５０ｋＨｚ）で振動し、波形が正弦波である信号を生成する。
【００２８】
同期信号生成部１０２は、Ａ／Ｄ変換部１１０が電圧または電流をディジタル信号に変換する際に、信号印加部１０１の生成した信号との同期を取る同期信号を生成する。例えば、同期信号生成部１０２は、信号印加部１０１の生成した信号の立ち上がりおよび立ち下がりのタイミングを示す同期信号をＡ／Ｄ変換部１１０に出力する。
【００２９】
制御部１０３は、印加用プローブ２１での信号の印加タイミング、検出用プローブ２２での電流・電圧の測定タイミングなど、判定装置１全体の制御を行う。
【００３０】
電圧検出部１０４は、検出用プローブ２２に誘起された電圧を電圧用ＢＰＦ１０６に出力する。電流検出部１０５は、検出用プローブ２２に誘起された電流を電流用ＢＰＦ１０７に出力する。
【００３１】
電圧用ＢＰＦ１０６は、電圧検出部１０４が検出した電圧から、印加用プローブ２１によって印加された信号と同じ周波数で時間変化する電圧を抽出する。
【００３２】
電流用ＢＰＦ１０７は、電流検出部１０５が検出した電流から、印加用プローブ２１によって印加された信号と同じ周波数で時間変化する電流を抽出する。また、電流用ＢＰＦ１０７は、電流検出部１０５が検出した電流から、ＩＳＤＮおよびＡＤＳＬなどのディジタル通信で用いられる周波数で時間変化する電流を抽出する。
【００３３】
電圧用増幅部１０８および電流用増幅部１０９は、自身に入力された電圧の振幅および電流の振幅を所定の値まで増幅する。
【００３４】
Ａ／Ｄ変換部１１０は、同期信号生成部１０２から入力した同期信号に基づいて、電圧用増幅部１０８および電流用増幅部１０９から入力された電圧および電流に対して標本化と量子化を行ってディジタル信号に変換する。
【００３５】
演算部１１１は、電流を表すディジタル信号と電圧を表すディジタル信号とに基づき、電流および電圧の値を数値化し、電圧値に対する電流値の比を算出する。
【００３６】
閾値設定部１１２は、比較部１１３による引込み線９１２の使用状況の判定に用いる閾値を設定する。閾値設定部１１２の保持する閾値としては、印加用プローブ２１が引込み線９１２に信号を印加していない状態で測定された電流値に基づいて引込み線９１２の使用状況を判定するための漏れ電流の閾値、印加用プローブ２１が引込み線９１２に信号を印加した状態で測定された電流値と電圧値との比に基づいて引込み線９１２の使用状況を判定するための第１閾値と第２閾値がある。
【００３７】
比較部１１３は、印加用プローブ２１が引込み線９１２に信号を印加していない状態では、閾値設定部１１２から漏れ電流の閾値を取得し、測定した電流値と漏れ電流の閾値とを比較して第１の判定を行う。比較部１１３は、印加用プローブ２１が引込み線９１２に信号を印加した状態では、第１の判定の結果に基づいて閾値設定部１１２から第１閾値または第２閾値を取得し、電圧値に対する電流値の比と第１閾値または第２閾値とを比較して第２の判定を行う。比較部１１３は、第１の判定結果に応じて、第１閾値または第２閾値のいずれを第２の判定で使用するのか決定する。第１閾値は第２閾値よりも値が大きい。つまり、第１閾値は、第２閾値よりも現用と判定する基準が厳しくなっている。第１の判定および第２の判定の詳細については後述する。
【００３８】
判定結果表示部１１４は、引込み線９１２が現用であるか非現用であるかを示す判定結果を表示する。判定結果表示部１１４は、判定結果を表示するための表示装置であってもよいし、外部の表示装置を接続するためのインタフェースであってもよい。
【００３９】
次に、本実施形態の判定装置１による判定方法について説明する。
【００４０】
判定装置１は、プローブ２が引込み線９１２に信号を印加していない状態で引込み線９１２に流れる電流を測定し、測定した電流に基づく第１の判定と、プローブ２が引込み線９１２に信号を印加した状態で引込み線９１２に流れる電流と引込み線９１２にかかる電圧を測定し、電圧値に対する電流値の比を求め、求めた比に基づく第２の判定を行う。
【００４１】
第１の判定では、引込み先に接続された端末が発生する信号を検出し、端末の有無を確認することで引込み線９１２の使用状況を判定する。
【００４２】
ＩＳＤＮで用いられるＤＳＵ（Ｄｉｇｉｔａｌ  Ｓｅｒｖｉｃｅ  Ｕｎｉｔ）およびＡＤＳＬで用いられるＡＤＳＬモデム等の通信機器は、所定のタイミングで信号を送出している。判定装置１は、プローブ２が引込み線９１２に信号を印加していない状態で引込み線９１２に流れる電流を測定し、測定した電流の値が所定の漏れ電流の閾値よりも大きいときは、引込み線９１２はＩＳＤＮやＡＤＳＬなどのディジタル通信で用いられている可能性が大きいと判定する。
【００４３】
第２の判定では、プローブ２により引込み線９１２に信号を印加し、印加した信号と同じ周波数の引込み線９１２に流れる電流と引込み線９１２にかかる電圧との比に基づいて引込み線９１２の使用状況を判定する。
【００４４】
引込み線９１２が現用の場合、引込み線９１２の先は、通信センタビル９０１内の交換機９１５等で終端されているので、引込み線９１２と大地間に流れるアースリターン電流が流れやすい。一方、引込み線９１２が非現用の場合、引込み線９１２の先は接続端子かん９０４または通信センタビル９０１内の集線盤９１４において開放端となっているので、アースリターン電流が流れにくい。
【００４５】
図３は、現用・非現用の引込み線において検出される電気諸量の特徴を説明するための図である。同図では、現用の引込み線と非現用の引込み線のそれぞれについて、引込み線に信号を印加したときに検出されるコモンモード電圧およびコモンモード電流の大きさとコモンモード電圧に対するコモンモード電流の比の大きさを示している。
【００４６】
検出されるコモンモード電流およびコモンモード電圧を現用・非現用で比較すると、図３に示すように、現用の引込み線で検出されるコモンモード電流は非現用の引込み線で検出されるコモンモード電流よりも大きく、現用の引込み線で検出されるコモンモード電圧は非現用の引込み線で検出されるコモンモード電圧よりも小さい。したがって、検出されるコモンモード電圧に対するコモンモード電流の比は、現用の引込み線のほうが非現用の引込み線よりも大きくなる。
【００４７】
判定装置１は、プローブ２が引込み線９１２に信号を印加した状態で引込み線９１２に流れる電流と引込み線９１２にかかる電圧を測定し、電圧に対する電流の比を求め、求めた比を予め設定した閾値と比較して引込み線９１２の使用状況を判定する。比較した結果、求めた比が閾値よりも大きい場合は、引込み線９１２は現用であると判定する。
【００４８】
なお、判定装置１は、第１の判定の判定結果に応じて閾値を決定する。具体的には、第１の判定で、引込み線９１２がディジタル通信で用いられている可能性が大きいと判定された場合は、第２の判定における基準を緩めて、第１閾値よりも値の小さい第２閾値を用いる。第１の判定で、ディジタル通信で用いられている可能性が小さいと判定された場合は、第２閾値よりも値の大きい第１閾値を用いる。
【００４９】
次に、引込み線の現用・非現用の判定処理の流れについて説明する。
【００５０】
図４は、引込み線の現用・非現用の判定処理の流れを示すフローチャートである。
【００５１】
引込み線９１２をプローブ２でクランプし（ステップＳ１１）、プローブ２から引込み線９１２に信号を印加しない状態で、引込み線９１２に流れる電流を測定する（ステップＳ１２）。
【００５２】
判定装置１は、第１の判定処理として、ステップＳ１２で測定した電流の値が予め設定した漏れ電流の閾値以上であるか否かを判定する（ステップＳ１３）。
【００５３】
電流が閾値以上である場合（ステップＳ１３のＹＥＳ）、判定装置１は、引込み線９１２はＩＳＤＮまたはＡＤＳＬで用いられている可能性が大きいと判定する。つまり、引込み線９１２は現用である可能性が大きい。
【００５４】
電流が閾値未満である場合（ステップＳ１３のＮＯ）、判定装置１は、引込み線９１２はＩＳＤＮまたはＡＤＳＬで用いられている可能性は小さいと判定する。この場合、引込み線９１２はアナログ通信で用いられている可能性があるので、引込み線９１２の現用・非現用は不明である。
【００５５】
第１の判定後、プローブ２を引込み線９１２にクランプしたまま、プローブ２から引込み線９１２に信号を印加する（ステップＳ２１またはステップＳ３１）。判定装置１は、プローブ２から引込み線９１２に信号を印加した状態で、引込み線９１２に流れる電流と引込み線９１２にかかる電圧を測定し（ステップＳ２２またはステップＳ３２）、電圧に対する電流の比を求める（ステップＳ２３またはステップＳ３３）。
【００５６】
判定装置１は、ステップＳ１３のＮＯから分岐した場合、つまり第１の判定結果がＩＳＤＮまたはＡＤＳＬで用いられている可能性小の場合、第１閾値を選択し、第２の判定処理として、求めた比と第１閾値とを比較して引込み線９１２の現用・非現用を判定する（ステップＳ２４）。求めた比が第１閾値未満の場合は、引込み線９１２は非現用であると判定し、求めた比が第１閾値以上の場合は、引込み線９１２は現用であると判定する。ステップＳ２４で現用と判定された引込み線９１２は、アナログ電話に使用されていると判定できる。
【００５７】
判定装置１は、ステップＳ１３のＹＥＳから分岐した場合、つまり第１の判定結果がＩＳＤＮまたはＡＤＳＬで用いられている可能性大の場合、第２閾値を選択し、第２の判定処理として、求めた比と第２閾値とを比較して引込み線９１２の現用・非現用を判定する（ステップＳ３４）。求めた比が第２閾値未満の場合は、引込み線９１２は非現用であると判定し、求めた比が第２閾値以上の場合は、引込み線９１２は現用であると判定する。ステップＳ３４で現用と判定された引込み線９１２は、ＩＳＤＮまたはＡＤＳＬで用いられていると判定できる。
【００５８】
ステップＳ１３の第１の判定において、ＩＳＤＮまたはＡＤＳＬで用いられている可能性大と判定した場合は、引込み線９１２は現用である可能性が大きく、第２の判定処理の基準を緩めても誤検出となる可能性が小さいので、ステップＳ３４では第１閾値よりも値の小さい第２閾値を用いる。
【００５９】
第１の判定でＩＳＤＮまたはＡＤＳＬで用いられている可能性大と判定された場合に、引込み線９１２がＩＳＤＮまたはＡＤＳＬのどちらで用いられているか判別してもよい。例えば、図５に示すように、ＩＳＤＮとＡＤＳＬ（上り）は使用する周波数が異なるので、第１の判定処理で検出した電流の周波数を解析し、通信の種別を判別できる。あるいは、図６に示すように、ＩＳＤＮの信号波形（図６（ａ））とＡＤＳＬの信号波形（図６（ｂ））は異なるので、第１の判定処理で検出した電流の波形を観測することで通信の種別を判別できる。
【００６０】
なお、図４では、第１の判定処理の後に第２の判定処理を行ったが、第２の判定処理の後に第１の判定処理を行ってもよい。第１の判定処理において、引込み線９１２はＩＳＤＮまたはＡＤＳＬで用いられている可能性大と判定した場合、判定装置１は、第２の判定処理を行わないで、引込み線９１２は現用であると判定してもよい。あるいは、第２の判定処理のみを行ってもよい。
【００６１】
次に、判定装置１の変形例について説明する。
【００６２】
図２の例では、１台の装置で判定装置１を構成したが、図７，８に示すように、複数台の装置で判定装置を構成してもよい。
【００６３】
例えば、図７の例では、判定装置は、印加用プローブ２１および検出用プローブ２２が接続された判定装置１Ａと、判定装置１Ｂの２つの装置によって構成される。判定装置１Ａは、信号印加部１０１、電圧検出部１０４、電流検出部１０５、電圧用ＢＰＦ１０６、および電流用ＢＰＦ１０７を備える。判定装置１Ｂは、同期信号生成部１０２、制御部１０３、電圧用増幅部１０８、電流用増幅部１０９、Ａ／Ｄ変換部１１０、演算部１１１、閾値設定部１１２、比較部１１３、および判定結果表示部１１４を備える。
【００６４】
図８の例では、判定装置は、印加用プローブ２１が接続された判定装置１Ｃと、検出用プローブ２２が接続された判定装置１Ｄの２つの装置によって構成される。判定装置１Ｃは、信号印加部１０１、同期信号生成部１０２、および制御部１０３を備える。判定装置１Ｄは、電圧検出部１０４、電流検出部１０５、電圧用ＢＰＦ１０６、電流用ＢＰＦ１０７、電圧用増幅部１０８、電流用増幅部１０９、Ａ／Ｄ変換部１１０、演算部１１１、閾値設定部１１２、比較部１１３、および判定結果表示部１１４を備える。
【００６５】
以上説明したように、本実施形態によれば、通信用の引込み線９１２に非接触で取り付けて引込み線９１２に信号を印加する印加用プローブ２１と、引込み線９１２に非接触で取り付けて引込み線９１２を流れる電流および引込み線９１２にかかる電圧を測定する検出用プローブ２２と、引込み線９１２の使用状況を判定する判定装置１を備え、判定装置１が、引込み線９１２に信号を印加しない状態で測定した電流値に基づいて引込み線９１２の使用状況を判定する第１の判定と、引込み線９１２に信号を印加した状態で測定した信号と同じ周波数の信号の電流値と電圧値の比を求め、比と閾値との大小関係に基づいて引込み線９１２の使用状況を判定する第２の判定を行うことにより、被設置建造物９０２外で、判定装置１のみで引込み線９１２の現用・非現用を効率良く判定できる。
【００６６】
本実施形態によれば、第１の判定と第２の判定の２段階で引込み線９１２の使用状況を判定するので、判定精度の向上を図るとともに、現用の引込み線９１２の通信種別も判定可能である。
【符号の説明】
【００６７】
１…判定装置
１０１…信号印加部
１０２…同期信号生成部
１０３…制御部
１０４…電圧検出部
１０５…電流検出部
１０６…電圧用ＢＰＦ
１０７…電流用ＢＰＦ
１０８…電圧用増幅部
１０９…電流用増幅部
１１０…Ａ／Ｄ変換部
１１１…演算部
１１２…閾値設定部
１１３…比較部
１１４…判定結果表示部
２…プローブ
２１…印加用プローブ
２２…検出用プローブ
２３…支持棒
２４…クランプレバー
【図１】
2020113839.tif 000003
【図２】
2020113839.tif 000004
【図３】
2020113839.tif 000005
【図４】
2020113839.tif 000006
【図５】
2020113839.tif 000007
【図６】
2020113839.tif 000008
【図７】
2020113839.tif 000009
【図８】
2020113839.tif 000010